(57)【要約】  流れ調整装置を水配管系統に対して結合および切り離す結合装置であって、配管系統の配管に接続されるようにそれぞれ配置された入口および出口と、流れ調整装置を保持するために入口と出口との間に配置されたホルダとを備え、結合装置が、ロック解除位置とロック位置との間でホルダから且つホルダに向かって移動可能なロック装置をさらに備え、ロック位置では、ロック装置が、ホルダ内に保持された流れ調整装置を係合してロックするように構成され、装置が入口および出口に結合され、ロック解除位置では、ロック装置が、流れ調整装置を結合装置から取り外すために流れ調整装置から離れるように移動される、結合装置。
2019525041.tif 000002
【特許請求の範囲】
【請求項１】
流れ調整装置を水配管系統に対して結合および切り離す結合装置であって、前記配管系統の配管に接続されるようにそれぞれ配置された入口および出口と、前記流れ調整装置を保持するために前記入口と前記出口との間に配置されたホルダとを備え、前記結合装置が、ロック解除位置とロック位置との間で前記ホルダから且つ前記ホルダに向かって移動可能なロック装置をさらに備え、前記ロック位置では、前記ロック装置が、前記ホルダ内に保持された前記流れ調整装置を係合してロックするように構成され、前記装置が前記入口および前記出口に結合され、前記ロック解除位置では、前記ロック装置が、前記流れ調整装置を前記結合装置から取り外すために前記流れ調整装置から離れるように移動される、結合装置。
【請求項２】
前記入口および前記出口が、前記入口から前記出口への流れ方向に沿って流れ軸に平行に少なくとも実質的に整列しており、前記ロック装置が、前記流れ軸に沿って移動可能である、請求項１に記載の結合装置。
【請求項３】
前記ホルダが、前記流れ調整装置の第１の端部を受け入れるように配置されたベースを備え、前記ロック装置が、前記流れ調整装置の前記第１の端部と反対側の第２の端部と係合するように構成され、前記ロック装置が、前記ベースに対して移動可能である、請求項１または２に記載の結合装置。
【請求項４】
前記ロック装置および前記ベースが前記ホルダ内に保持された前記流れ調整装置の送り込み部および送り出し部と協働するように構成されている、請求項２または３に記載の結合装置。
【請求項５】
前記ロック装置および前記ベースが、前記結合装置の前記入口、前記出口にそれぞれ流れ出る導管を備える、請求項４に記載の結合装置。
【請求項６】
前記ロック装置が、少なくとも前記ロック位置で前記結合装置の前記入口および前記出口のうちの少なくとも一方に流れ出る管状部材を備える、請求項４または５に記載の結合装置。
【請求項７】
前記入口または前記出口が、供給管を備え、前記ロック装置の前記管状部材が、前記管状部材が前記ロック位置と前記ロック解除位置との間を移動するために前記供給管に沿って移動可能であるように、前記供給管に対して同軸に配置されている、請求項６に記載の結合装置。
【請求項８】
前記管状部材が、前記供給管の周りに同軸に配置され、前記ロック装置の前記管状部材が、前記ロック装置を移動させるためのねじを備えている、請求項７に記載の結合装置。
【請求項９】
前記ロック装置の前記管状部材が雄ねじを備え、前記結合装置が、前記管状部材を移動させるために前記管状部材の前記ねじと係合するように構成された回転部材をさらに備える、請求項８に記載の結合装置。
【請求項１０】
前記回転部材が、前記ロック装置の前記管状部材の周りに同軸に配置され、前記回転部材が、前記管状部材の前記雄ねじと協働する雌ねじを備え、前記回転部材が、前記結合装置のフレームに回転可能に取り付けられる、請求項９に記載の結合装置。
【請求項１１】
前記フレームおよび前記回転部材が、好ましくは、ピンを受け入れるための一致孔を備えている、請求項１０に記載の結合装置。
【請求項１２】
流路内に減衰手段をさらに備えた、請求項１から１１のいずれか一項に記載の結合装置。
【請求項１３】
前記減衰手段が前記供給管内に設けられている、請求項７または１２に記載の結合装置。
【請求項１４】
流れ調整装置を備えた請求項１から１３のいずれか一項に記載の結合装置。
【請求項１５】
請求項１から１４のいずれか一項に記載の結合装置を備えた水配管系統を備えた建物。
【請求項１６】
前記ロック装置を前記ロック解除位置に移動させ、前記流れ調整装置を前記結合装置から取り外すステップを備える、請求項１から１４のいずれか一項に記載の結合装置を備えた水配管系統から流れ調整装置を切り離す方法。
【発明の詳細な説明】
【技術分野】
【０００１】
本発明は、流れ調整装置を水配管系統に対して結合および切り離す結合装置に関する。本発明は、さらに、流れ調整装置を水配管系統に対して結合および切り離す方法に関する。
【背景技術】
【０００２】
きれいな飲料水を節約するために、例えば、シャワーをするまたは入浴するときに、水の使用を減らすために水配管系統に流れ制限装置とも呼ばれる流れ調整装置を含むことが知られている。圧力に依存しない流れ調整装置は、出願人によって非常に成功裏に販売されている。そのような流れ制限装置は、欧州特許出願公開第１．１３１．６８７号およびオランダ特許出願公開第１０１０５９２号に記載されている。
【０００３】
これらの流れ調整装置／制限装置は、典型的には、水圧にかかわらず水の流れを略一定に保つために、タップまたはシャワーヘッドまたはそれに関連する配管に挿入される。例えば、ホテル、クルーズ船および（石油化学）産業において、より大きい規模で液体の流れを制限および／または一定に保つために、前室と後室とを備えるハウジングと、ハウジング内に配置され且つ２つ以上の開口を備えた隔壁と、一方または双方の開口に配置された流れ制限装置とを備える、そこを流れる流体の量を制限または調整するための装置を提供することが知られている。そのような装置は、国際公開第２０１５／０６９１１４号に記載されている。装置のハウジング内の流れ制限装置の数および／または種類を変更することによって、装置を通る水の流れは、特定の必要性に正確に調整されることができる。
【０００４】
そのような装置は、典型的には、適切な入口および出口を備えたハウジングを、例えばカプラー、継手または任意の他のねじ接続を用いて配管系統のワイパー配管に接続することによって水配管系統に含まれる。しかしながら、これらの装置は、例えば保守または交換のために、効率的にまたは容易にアクセス可能でないという欠点がある。例えば、水配管系統からの装置の切り離しは、専門の人員によって行われる必要があり、配管系統を通る水の流れが中断される必要がある時間を要する。
【先行技術文献】
【特許文献】
【０００５】
【特許文献１】欧州特許出願公開第１．１３１．６８７号
【特許文献２】オランダ特許出願公開第１０１０５９２号
【特許文献３】国際公開第２０１５／０６９１１４号
【発明の概要】
【発明が解決しようとする課題】
【０００６】
上述した欠点を少なくとも部分的に軽減しおよび／または流れ調整装置を水配管系統に対して結合および切り離す結合装置の効率的で迅速な使用および／または容易な使用を提供することが他の目的に続く本発明の目的である。
【課題を解決するための手段】
【０００７】
この目的は、他の目的の中でも、添付の請求項１に記載された方法によって満たされる。より具体的には、この目的は、他の目的の中でも、流れ調整装置を水配管系統に対して結合および切り離す結合装置であって、配管系統の配管に接続されるようにそれぞれ配置された入口および出口と、流れ調整装置を保持するために入口と出口との間に配置されたホルダとを備え、結合装置が、ロック解除位置とロック位置との間でホルダから且つホルダに向かって移動可能なロック装置をさらに備え、ロック位置では、ロック装置が、ホルダ内に保持された流れ調整装置を係合してロックするように構成され、装置が入口および出口に結合され、ロック解除位置では、ロック装置が、流れ調整装置を結合装置から取り外すために流れ調整装置から離れるように移動される、結合装置によって満たされる。
【０００８】
結合装置は、これにより、入口および配管系統の各配管を接続することによって配管系統に組み込まれ、そのホルダ内に流れ調整装置を取り外し可能に受けるように配置されている。使用時には、流れ調整装置の位置は、ロック装置の係合によって固定される。このロック装置は、流れ調整装置と係合し、好ましくは流れ調整装置と結合装置との間の相対運動を防止する。前記ロック位置において、入口から到来する水は、ホルダ内に保持された流れ調整装置を通り且つ出口を通って流れることができる。少なくともロック位置では、それゆえに、流路は、入口から流れ調整装置を有するホルダを通って出口に向かって形成される。
【０００９】
例えば流れ調整装置が保守を必要とするとき、ロック装置は、ロック位置からロック解除位置に向かって移動する。ロック装置は、ロック装置がもはや制限装置上にクランプ係合を生じさせないようにホルダ内の流れ調整装置から離れるように移動する。そして、結合装置は、ロック解除位置において、流れ調整装置が結合装置から取り外されることができ、それによって流れ調整装置を配管系統から切り離すことができるように配置されている。
【００１０】
入口および出口は、例えば、管状部材によって形成されることができる。これらの管は、公知の方法で配管系統に接続されることができる。好ましくは、管状入口および出口には、配管系統に接続するためのねじ、好ましくは雄ねじが設けられる。さらに好ましい実施形態によれば、入口および出口の少なくとも一方、好ましくは双方には、液体の流れを遮断することを可能にする流れ遮断手段が設けられる。これは、システム全体の水の流れを中断する必要なく流れ調整装置の容易な取り外しを可能にする。流れ遮断装置は、例えば蛇口が設けられているものであり、そのため、公知であり、例えばねじを備えた入口または出口を用いて結合装置に接続されることができる。
【００１１】
ホルダ内に保持された装置に対して移動可能なロック装置を提供することにより、一方では、ロック装置が装置と係合するときにしっかりとした相互接続が得られ、他方では、装置から離れるようにロック装置を移動させることにより、装置は、効率的に取り外されることができる。
【００１２】
配管系統のコンパクトさおよび設置の容易さのために、入口および出口が実質的に整列されている場合が好ましい。入口および出口は、好ましくは、配管系統に接続するように配置された管状部分の形態である。そして、入口および出口の管、すなわちその長手方向または流れ軸は、結合装置が配管系統の直線部分に容易に組み込まれることができるように好ましくは整列される。したがって、入口および出口は、入口から出口への流れ方向に沿って流れ軸に平行に少なくとも実質的に整列していることが好ましい。そして、ロック装置が流れ軸に沿って、より好ましくは流れ軸のみに沿って移動可能である場合、効率的なロック機構が得られる。これにより、ホルダ内に保持された装置は、方向の力が作用する傾向にある流れの方向にロックされる。最も好ましくは、ロック位置は、ロック解除位置に対する流れの方向にある。
【００１３】
さらに好ましい実施形態によれば、ホルダは、流れ調整装置の第１の端部を受け入れるように配置されたベースを備え、ロック装置は、流れ調整装置の第１の端部と反対側の第２の端部と係合するように構成され、ロック装置は、前記ベースに対して移動可能である。これにより、ホルダおよびロック装置は、両側において流れ調整装置と係合し、それにより、効率的なロック動作を得る。特に、ロック装置が上述したように流れの方向に沿って移動可能であるとき、ロック位置において信頼性の高いロック動作が得られる。
【００１４】
ホルダは、流れ調整装置を受け入れて保持するように構成され、流れ調整装置は、好ましくは、送り込み部および送り出し部も備えている。好ましくは、結合装置は、少なくとも１つの流れ制限装置／調整装置を内部に備えた略円筒形状のハウジングを受け入れるように構成されている。そのような装置は、参照することによって本明細書に組み込まれる国際公開第２０１５／０６９１１４号に記載されている。送り込み部および送り出し部は、好ましくは、円筒の上面および下面に配置される。
【００１５】
少なくともロック位置では、入口から流れ調整装置を通って出口に向かう流れを可能にするように、流れ調整装置の送り込み部または入口は、結合装置の入口に結合される必要があり、流れ調整装置の送り出し部または出口は、結合装置の出口に結合される必要がある。
【００１６】
そして、上述したようなロック装置およびホルダのベースのうちの少なくとも一方が、流れ調整装置の送り込み部または送り出し部と協働するように構成されていることが好ましい。ロック装置またはそのベースは、好ましくは、前記送り込み部または送り出し部と結合する導管を備える。そして、前記導管は、好ましくは、結合装置の入口または出口に結合されるかまたは流れ出る。
【００１７】
ロック装置およびベースの双方がホルダ内に保持された流れ調整装置の送り込み部および送り出し部と協働するように構成されている場合が好ましい。特に、ベースおよびロック装置がその間に流れ調整装置を受け入れるように配置されている場合、コンパクトで効率的な結合装置が得られる。そして、ロック装置が上述したようにこの流れ軸に沿って移動可能である場合がさらに好ましく、それぞれ送り込み部および送り出し部を備えた流れ調整装置の端面における、流れ調整装置と結合装置、特にロック装置とそのベースとの間の締め付け接続を可能にする。
【００１８】
ロック装置の導管は、例えば、管状部材によって画定されてもよく、前記管状部材は、少なくともロック位置で入口または出口に流れ出るかまたは結合される。より一般的には、それゆえに、ロック装置が少なくともロック位置で結合装置の入口および出口のうちの少なくとも一方に流れ出る管状部材を備えることが好ましい。ロック位置では、管状部材は、好ましくはクランプ作用で流れ調整装置の送り込み部または送り出し部のうちの一方と協働し、それによって、管状ロック装置と流れ調整装置との間にしっかりとした確実な接続を達成する。そして、管状ロック装置の反対側の端部は、結合装置の入口または出口に流れ出るかまたは結合され、それにより、入口と送り込み部、または出口もしくは送り出し部との間にそれぞれ導管を形成する。
【００１９】
さらに好ましい実施形態によれば、入口または出口、好ましくは入口は、供給管を備え、ロック装置の管状部材は、管状部材がロック位置とロック解除位置との間を移動するために供給管に沿って移動可能であるように、供給管に対して同軸に配置されている。そして、管状ロック装置は、管状入口または出口内またはそれらの周囲に受け入れられ、前記管状入口または出口、すなわち供給管に対して移動することが可能にされる。供給管は、好ましくは、流れ調整装置に接触しないように寸法決めされており、したがって、流れ調整装置から所定距離だけ延伸し、管状ロック装置は、ロック位置で供給管と流れ調整装置との間の所定距離をブリッジするように構成されている。したがって、少なくともロック位置では、ロック装置の管状部材は、供給管を流れ調整装置、特にその送り込み部または送り出し部に結合するように供給管から突出している。
【００２０】
一般に、結合装置、特に上述したようなそのホルダに対するロック装置の移動は、好ましくは手動でロック手段を移動させるように構成された適切な移動手段によって達成されることができる。例えば、ロック装置を移動させるためのロック可能ハンドルが設けられることができる。他の線形移動手段もまた想定される。
【００２１】
ロック装置の管状部材がロック装置を移動させるためのねじを備えているとき、効率的な移動が達成される。そして、回転は、ロック装置の移動を可能にするが、ねじは、好ましくはロック装置の移動方向に平行であるねじ方向に沿った意図しない移動に対して良好な抵抗を提供する。
【００２２】
例えば、ロック装置の管状部材および供給管が協働するねじによって係合することが可能である。そして、供給管に対する管状部材の回転は、ロック装置の管状部材の移動をもたらす。また、ここでは、回転を可能にするのに適したハンドルを設けることができる。
【００２３】
ロック装置の管状部材を効率的に移動させることができるように、管状部材が供給管の周りに同軸に配置されていることが好ましい。そして、結合装置は、好ましくは、ロック装置の管状部材を供給管に対して移動させるための適切な移動手段を備えている。
【００２４】
ロック装置の管状部材が雄ねじまたはラックを備えている場合、効率的な移動が可能であり、結合装置は、前記管状部材を移動させるために管状部材のねじと係合するように構成された回転部材をさらに備える。このねじを歯車、ピニオンまたはスプロケットなどの回転部材に係合させることによって、管状部材は、効率的に移動されることができる。回転部材の移動は、好ましくは、前記部材のみの回転に制限される。回転部材は、結合装置のフレームによって支持されることが好ましい。そのようなフレームは、例えば、入口と出口とを相互接続することができ、ロック解除位置に流れ調整装置を通過させることができる相互距離に延在する接続ビームを備えることができる。
【００２５】
さらに好ましい実施形態によれば、回転部材は、ロック装置の管状部材の周りに同軸に配置され、回転部材は、管状部材の雄ねじと協働する雌ねじを備え、回転部材は、結合装置のフレームに回転可能に取り付けられる。そして、回転部材の回転は、ロック装置の管状部材の移動をもたらす。回転部材は、例えば、上述した回転部材の回転以外の変位が防止されるように、フレーム内の対応する形状の溝に受け入れられてもよい。
【００２６】
回転部材をロックするために、フレームおよび回転部材は、好ましくは、ピンを受け入れるための一致孔を備えている。好ましくは、回転部材は、その周囲に複数の前記孔を備えている。
【００２７】
例えば上流の圧力調整装置に起因する流線内の変動する圧力のいかなる悪影響も低減するために、結合装置が流路内に減衰手段を備えることが好ましい。減衰手段またはダンパは、例えば、管の１つに含まれる弾性材料の管状部分を備えることができる。好ましくは、減衰手段は、好ましくは流れ調整装置の上流に配置される入口または供給管に設けられる。
【００２８】
本明細書で使用される流れ調整装置という用語では、装置は、例えば流速または圧力の観点で流れを何らかの方法で調整することを意味することに留意されたい。好ましくは、流れ調整装置は、流れ制限装置を備える。本発明は、さらに、配管系統から流れ調整装置を結合および切り離す装置に特に限定されない。本発明の装置は、ふるい、センサなどの配管系統での使用のために他の装置を結合および切り離すために使用されることができる。また、結合装置は、水配管系統以外の配管系統から装置を結合および切り離すために使用されることも可能である。装置は、液体さらには流体を搬送する任意の配管または管状系統に適用されることができる。
【００２９】
本発明は、さらに、流れ調整装置を備えた本発明にかかる結合装置と、本発明にかかる結合装置を備えた水配管系統を備えた建物とに関する。
【００３０】
本発明は、さらにまた、ロック装置をロック解除位置に移動させ、流れ調整装置を結合装置から取り外すステップを備える、本発明にかかる結合装置を備えた水配管系統から流れ調整装置を切り離す方法に関する。
【００３１】
本発明は、本発明にかかる装置の好ましい実施形態を示すが本発明の範囲を限定するものではない。以下の図によりさらに説明される。
【図面の簡単な説明】
【００３２】
【図１ａ】図１ａは、空の結合装置を示している。
【図１ｂ】図１ｂは、流れ調整装置を備えた結合装置を示している。
【図２】図２は、図１ｂの結合装置の断面図を示している。
【図３ａ】図３ａは、ロック解除位置にある結合装置の断面図を示している。
【図３ｂ】図３ｂは、ロック解除位置にある結合装置の側面図を示している。
【図４】図４は、結合装置からの流れ調整装置の取り外しを示している。
【図５ａ】図５ａは、流れ遮断装置を備えた結合装置の別の流れ調整装置の斜視図を示している。
【図５ｂ】図５ｂは、流れ遮断装置を備えた結合装置の別の流れ調整装置の断面図を示している。
【発明を実施するための形態】
【００３３】
図１ａにおいて、入口管２に設けられたねじ２１と出口管３に設けられたねじ３１とを用いて水配管系統に結合されるように構成された結合装置１が示されている。結合装置１は、図１ｂおよび図２も参照すると、流れ調整装置８を受け入れるように配置されたホルダ４を備えている。
【００３４】
そのような流れ調整装置８は、送り込み部８４を備えた第１の面８１と送り出し部８３を備えた第２の面８２とを有する円筒形状を有する。この例では、送り込み部８４は、ふるい８５を備えている。調整装置８のハウジング８９には、隔壁８８が送り込み部８４と送り出し部８３との間に設けられ、隔壁８８は、開口８６を備えている。１つの開口８６には、流れ調整要素９が受け入れられている。流れ調整および制限要素９は、流れ調整装置８の送り込み部８４と送り出し部８３との間の流れを制限する。
【００３５】
結合装置１に戻ると、結合装置１は、２つの端板６１および６２を備え、その間に構造的な方法で入口２と出口３とを相互接続するビーム６３が延在している。図１ａおよび図２から最もよくわかるように、ビームは、流れ調整装置８のハウジング８９を受け入れるための凹部４３を備えている。
【００３６】
端板６１は、ホルダ４のベース４１を形成し、出口管３への導管を形成する突出リング４２を備えている。送り出し部８３を有する端面８２は、リング４２を密着させるように配置された凹溝８２ａを備えている。液密接続を保証するために、その間にガスケットまたはＯリング４２ａが設けられている。
【００３７】
入口管２は、入口管２および出口管３の双方の長手方向軸と一致する流れ軸Ａに沿って見たときに端板を越えて延在し、供給管２２を形成する。供給管２２は、可撓性材料のダンパ２４が受け入れられる凹溝２３を備えている。
【００３８】
図２では、供給管２２の外側端部が、流れ調整装置８の送り込み部８４から距離ｄだけ延在していることがわかる。この距離ｄは、供給管２２の周りに同軸に配置されたロック管５によってブリッジされる。ロック管５の外側端部５２は、流れ調整装置８の表面８１と係合し、ロック管５と送り込み部８４との間の液密接続を得るためにその送り込み部８４と協働する。これにガスケットまたはＯリング８４ａがさらに設けられている。
【００３９】
ロック管５のロック位置では、流れ調整装置８は、ロック管５の外側端部５２およびベース４１によって密閉されている。したがって、流れ方向Ａに沿った方向への流れ調整装置８のいかなる移動も防止される。対応する形状の溝８２ａに受け入れられたリング４２と、送り込み部８４の突出リングの周りに係合する外側端部５２は、流れ方向Ａに垂直な方向への移動を制限する。また、ビーム６３は、この移動を制限するのを助ける。
【００４０】
例えば、保守のためにまたはハウジング８９内の制限要素９の量および／または種類を変更することによって流れ制限特性を変更するために流れ調整装置８が取り外される必要がある場合、ロック管５は、ロック解除位置に移動される必要がある。したがって、流れ調整装置８をロック解除するために、ロック管５は、ホルダ４、特にそのベース４１から離れるように移動可能である。調整装置８を再びロックするために、管５はまた、調整装置８の端面８１に再び係合するように前記ベース４１に向かって移動可能である。
【００４１】
ホルダ４、それによりその内部に保持された調整装置８に対するロック管５の移動を可能にするために、管５は、ロック管５がその上を摺動することが可能にされるように供給管２２の周りに同軸に配置されている。ロック管５の内径は、供給管２２の外径に対応している。
【００４２】
ロック管５の外周面の一部は、回転ディスク７の雌ねじ７１と協働するように配置されたねじ５１を備えている。回転ディスク７は、結合装置１に対して回転可能であり、ビーム６３の溝６４に受け入れられて保持される。したがって、ディスク７の流れ方向Ａへの移動が防止される。使用時において、結合装置１から調整装置８を取り外すことが望まれない場合には、ビーム６３に設けられた孔およびディスク７の周面における孔７４を介してピン７３を挿入することにより、ディスク７の回転が防止されることができる。
【００４３】
この例では流れ軸Ａと一致する回転軸に沿ってディスク７が回転すると、ねじ７１、５１が協働し、それにより、ロック管５を流れ軸Ａに沿って移動させる。図３ａおよび図３ｂにおいて、ロック管５は、ロック管５の外側端部５２が供給管２２の外側端部と一致するようにディスク７の回転によって移動している。外側端部５２とベース４１との間の距離は、ここで調整装置８が流れ軸Ａに沿って移動可能であるように増加している。この点で、調整装置の端面８２とベース４１との間の距離も参照されたい。リング４２は、図４における矢印ＩＩによって示すように、調整装置８が結合装置から離れるように半径方向に移動されることができるように、ここでは溝８２ａを有していない。
【００４４】
ステップを逆の順序で繰り返すことにより、調整装置８を結合装置１に挿入してロックすることができる。
【００４５】
図５ａおよび図５ｂから、異なるサイズの調整装置８ａもまた効率的に受け入れられることができることになる。この例では、単一の制限要素９のみが調整装置８のハウジング８９の開口８６に保持されている。送り出し部８３および送り込み部８４は、第１の例の調整装置にしたがって成形される。大型の調整装置の場合、結合装置１は、例えば端板６１および６２を直径に関して拡大しおよび／または前記端板６１および６２の間の距離を増大させることによってカスタマイズされることができる。
【００４６】
図５ａおよび図５ｂには、入口２および出口３にそれぞれ設けられた閉鎖要素９ａおよび９ｂも示されている。閉鎖要素９ａおよび９ｂは、閉鎖要素９ａおよび９ｂを通る液体の流れを閉じるためにノブ９４を回すことによって操作されることができる蛇口９１を備えている。閉鎖要素９ａおよび９ｂは、対応するねじ９２を使用して入口２および出口３に接続される。他端はまた、水系統の配管に接続するためのねじ９３を備えている。
【００４７】
本発明は、示された実施形態に限定されるものではなく、添付の特許請求の範囲に含まれる他の実施形態にも拡張される。
【図１ａ】
2019525041.tif 000003
【図１ｂ】
2019525041.tif 000004
【図２】
2019525041.tif 000005
【図３ａ】
2019525041.tif 000006
【図３ｂ】
2019525041.tif 000007
【図４】
2019525041.tif 000008
【図５ａ】
2019525041.tif 000009
【図５ｂ】
2019525041.tif 000010
【国際調査報告】
2019525041.tif 000011
2019525041.tif 000012